(57)【特許請求の範囲】
【請求項１】
既設の鉄塔の鉄塔構成部材の上部で上方に向かって取り外し自在に保持されていると共に、ヘリコプタに設けられたフックにより上空から上記ヘリコプタにより係合可能に設けられ、上記ヘリコプタにより上記鉄塔構成部材を吊り下げるための環状部材を取り付け、上記環状部材と上記鉄塔構成部材を連結部材により連結して上記環状部材から上記鉄塔構成部材を吊り下げ可能にし、既設の鉄塔構成部材のうち上記ヘリコプタにより搬送する部分と残る部分との連結を解除すると共に、この部分の仮設の連結を、連結治具とこの連結治具を上記鉄塔構成部材に保持させる保持部材とで行い、この保持部材を地上側で解除可能とし、上記ヘリコプタを上記環状部材の上方に位置させ上記フックを上記環状部材に係合させて吊り下げが可能となった状態の後、地上側で上記保持部材を解除し、上記鉄塔構成部材の連結治具をその鉄塔構成部材から除去し、上記環状部材に連結された上記鉄塔構成部材を上記ヘリコプタにより吊り下げて搬送することを特徴とするヘリコプタによる鉄塔解体方法。
【請求項２】
既設の鉄塔の鉄塔構成部材を解体する際に、上記鉄塔構成部材のうち上記ヘリコプタにより搬送する部分と残る部分の少なくともいずれかに取り付けられ、雄ねじ部材とナット部材により構成され、解体により搬送される部分の上記鉄塔構成部材を、それより下方の鉄塔構成部材に対してわずかに持ち上げる支持部材を設け、上記ナット部材の回動により搬送される上記鉄塔構成部材を僅かに持ち上げた後、解体搬送する部分と残る部分との連結を解除することを特徴とする請求項１記載のヘリコプタによる鉄塔解体方法。
【請求項３】
上記環状部材を上記既設の鉄塔構成部材に対して垂直状態で位置決めさせ、上記ヘリコプタのフックに係合可能に保持する位置決め部材を設け、上記位置決め部材に保持された上記環状部材を上記ヘリコプタのフックにより係合し、解体される上記鉄塔構成部材を上記連結部材を介して上記ヘリコプタにより吊り下げて搬送することを特徴とする請求項１記載のヘリコプタによる鉄塔解体方法。
【請求項４】
既設の鉄塔の鉄塔構成部材を解体する際に、上記鉄塔構成部材のうち上記ヘリコプタにより搬送する部分と残る部分の少なくともいずれかに取り付けられ、雄ねじ部材とナット部材により構成され、解体により搬送される部分の上記鉄塔構成部材を、それより下方の鉄塔構成部材に対してわずかに持ち上げる支持部材と、上記ヘリコプタにより搬送する部分と残る部分との連結を解除した後に上記既設の鉄塔構成部材のうち上記ヘリコプタにより搬送する部分と残る部分との連結を仮に保つための連結治具とを備え、この連結治具は紐により上記支持部材と繋がっているとともに、上記連結治具は、上記ヘリコプタにより搬送する部分と残る部分とに挿通される軸部材と、上記支持部材により上記鉄塔構成部材が支持された状態で、上記連結治具の軸部材を上記鉄塔構成部材から外す弾性部材とから成り、上記軸部材を上記弾性部材の付勢力に抗して上記鉄塔構成部材に保持させる保持部材と、上記保持部材を地上から除去して上記弾性部材により上記連結治具を上記鉄塔構成部材から外すための除去部材を備えたことを特徴とするヘリコプタによる鉄塔解体作業治具。
【発明の詳細な説明】
【技術分野】
【０００１】
本発明は、送電線が架設された鉄塔を解体するためのヘリコプタを利用した鉄塔解体方法及び作業用治具に関する。
【背景技術】
【０００２】
従来、送電線が架設された鉄塔の解体は、設置場所の周辺に作業スペースを確保し、さらに山間地においては近隣の道路までの仮設の作業用道路を設営して、大型のクレーン等により工事を行っている。鉄塔解体作業は、上から順に鉄塔の構成部材をクレーンにより吊り上げるようにして、ボルトとナットを外し、上から順に解体して行くものである。
【特許文献１】特開平９−１３７６３３号公報
【特許文献２】特開２００１−３７０３０号公報
【発明の開示】
【発明が解決しようとする課題】
【０００３】
従来の鉄塔解体方法においては、鉄塔の周辺及び近くの道路までの作業スペースを広く必要とし、作業のための準備期間やクレーン等の大型の重機を長期間必要とし、さらに用地の確保にも多くのコストがかかり、全体として膨大な費用を要する上、解体作業自体も工数のかかるものであった。
【０００４】
この発明は上記従来の問題点に鑑みて成されたものであり、短期間に効率よく、しかも安全に鉄塔の解体作業を行うことができるようにしたヘリコプタによる鉄塔解体方法及び作業用治具を提供することを目的とする。
【課題を解決するための手段】
【０００５】
この発明は、既設の鉄塔の鉄塔構成部材の上部で上方に向かって取り外し自在に保持されていると共に、ヘリコプタに設けられたフックにより上空から上記ヘリコプタにより係合可能に設けられ、上記ヘリコプタにより上記鉄塔構成部材を吊り下げるための環状部材を取り付け、既設の鉄塔構成部材のうち上記ヘリコプタにより搬送する部分と残る部分との連結を解除すると共に、この部分の仮設の連結を、連結治具とこの連結治具を上記鉄塔構成部材に保持させる保持部材とで行い、この保持部材を地上側で解除可能とし、上記ヘリコプタを上記環状部材の上方に位置させ上記フックを上記環状部材に係合させて吊り下げが可能となった状態の後、地上側で上記保持部材を解除し、上記鉄塔構成部材の連結治具をその鉄塔構成部材から除去し、上記環状部材に連結された上記鉄塔構成部材を上記ヘリコプタにより吊り下げて搬送するヘリコプタによる鉄塔解体方法である。
【０００６】
さらに、既設の鉄塔の鉄塔構成部材を解体する際に、上記鉄塔構成部材のうち上記ヘリコプタにより搬送する部分と残る部分の少なくともいずれかに取り付けられ、雄ねじ部材とナット部材により構成され、解体により搬送される部分の上記鉄塔構成部材を、それより下方の鉄塔構成部材に対してわずかに持ち上げる支持部材を設け、上記ナット部材の回動により搬送される上記鉄塔構成部材を僅かに持ち上げた後、解体搬送する部分と残る部分との連結を解除するヘリコプタによる鉄塔解体方法である。
【０００７】
さらに、上記環状部材を上記既設の鉄塔構成部材に対して垂直状態で位置決めさせ、上記ヘリコプタのフックに係合可能に保持する位置決め部材を設け、上記位置決め部材に保持された上記環状部材を上記ヘリコプタのフックにより係合し、解体される上記鉄塔構成部材を連結部材を介して上記ヘリコプタにより吊り下げて搬送するものである。
【０００８】
またこの発明は、既設の鉄塔の鉄塔構成部材を解体する際に、上記鉄塔構成部材のうち上記ヘリコプタにより搬送する部分と残る部分の少なくともいずれかに取り付けられ、雄ねじ部材とナット部材により構成され、解体により搬送される部分の上記鉄塔構成部材を、それより下方の鉄塔構成部材に対してわずかに持ち上げる支持部材と、上記ヘリコプタにより搬送する部分と残る部分との連結を解除した後に上記既設の鉄塔構成部材のうち上記ヘリコプタにより搬送する部分と残る部分との連結を仮に保つための連結治具とを備え、この連結治具は、上記ヘリコプタにより搬送する部分と残る部分とに挿通される軸部材と、上記支持部材により上記鉄塔構成部材が支持された状態で、上記連結治具の軸部材を上記鉄塔構成部材から外す弾性部材とから成り、上記軸部材を上記弾性部材の付勢力に抗して上記鉄塔構成部材に保持させる保持部材と、上記保持部材を地上から除去して上記弾性部材により上記連結治具を上記鉄塔構成部材から外すための除去部材を備えたヘリコプタによる鉄塔解体作業治具である。
【発明の効果】
【０００９】
本発明のヘリコプタによる鉄塔解体方法及び作業用治具は、鉄塔設置場所における作業スペースを最小限にして解体作業可能であり、大型のクレーン等の重機を必要とせず、鉄塔の解体作業も迅速に行うことができる。従って、従来のように作業スペースの確保ための費用や準備期間を必要とせず、コストも安価に作業を行うことができる。また、この発明のヘリコプタによる鉄塔解体方法に用いる作業用治具は、作業を確実且つ迅速に行うことができるとともに、解体作業を安全に遂行可能とするものである。
【発明を実施するための最良の形態】
【００１０】
以下、この発明の一実施形態のヘリコプタによる鉄塔解体方法と作業治具について、図面を基にして説明する。この実施形態は、既設の鉄塔１０を解体する場合のものである。まず、図１に示すように、鉄塔１０に架設された電線を除去した後、鉄塔１０の頂部１０ａに、円形の金属リングである環状部材２０を仮設置する。環状部材２０は、図１１，図１２に示すように、その両側を保持する位置決め部材２２により保持されて垂直状態に位置決めされる。環状部材２０及び位置決め部材２２の位置は、図１〜図４に示すように、鉄塔１０の頂部１０ａ、または既設の鉄塔１０の中間部の鉄塔構成部材２６に取り付けられる。
【００１１】
環状部材２０と解体される鉄塔構成部材２６とを連結した連結部材であるワイヤ３０は、例えば図１３に示すように、環状部材２０に金属リング３２により繋がれ、ワイヤ３０の他端も解体する鉄塔構成部材２６に、金属リング３２により連結される。位置決め部材２２の両側の起立部２３は、環状部材２０の厚さよりも僅かに広い幅の間隔を空けて対向し、環状部材２０を両側部で挟持する。位置決め部材２２は、鉄塔構成部材２６に固定する固定金具２４を下部に備え、ボルト２５により鉄塔構成部材２６に固定する。
【００１２】
鉄塔１０の解体部分と残す部分との連結解除は、鉄塔構成部材２６を連結したボルトの取り外しを容易にするための治具である支持部材３４を用いて行う。支持部材３４は、ヘリコプタ４０により搬送する部分と残る鉄塔構成部材２６の少なくともいずれかに取り付けられる。この実施形態では残る部分の鉄塔構成部材２６に図示しないボルトとナットにより固定される。この支持部材３４は、図６，図７に示すように、断面がＬ字状の支持部３５と、支持部３５の一側面の先端部が固定された雄ねじ部材３６と、この雄ねじ部材３６に螺合したナット部材３７と、このナット部材３７を受ける受部３９とから成る。受け部３９には、貫通孔が形成され、この貫通孔と同軸に、雄ねじ部材３６が挿通され、安定にガイドする挿通支持部４１を備える。受け部３９の挿通支持部４１が設けられた側面とは直角の側面には、鉄塔構成部材２６に固定するための取付孔が形成されている。鉄塔構成部材２６に対しては、図１、図８等に示すように、図示しないボルトとナットにより鉄塔構成部材２６の側面に強固に固定する。
【００１３】
ヘリコプタ４０で搬送される側の鉄塔構成部材２６とそれに接続した下方の主柱材１１の鉄塔構成部材２６との連結部分には、搬送される側の鉄塔構成部材２６の下端面２６ａに支持部材３４の支持部３５が当接し、ナット部材３７の回動により、雄ねじ部材３６が上昇し、支持部３５により下端面２６ａが僅かに押し上げられる。これにより、鉄塔構成部材２６同士を連結したボルト４２を取り外しやすくなる。４本の主柱材１１について、順にナット部材３７により鉄塔構成部材２６を押し上げて、ボルト４２を外す。
【００１４】
ボルト４２を外した後は、図９，図１０等に示すように、連結治具５０の軸部材５２をボルト挿通穴に挿通して、軸部材５２の先端部に保持部材であるピン５４を係止して抜け止めとする。連結治具５０は、筒状の外装部材５６に軸部材５２が挿通され、軸部材５２の基端部には持ち手５８がＴ字状に取り付けられ、持ち手５８が突出した側面部分には、長孔６０が対面して形成されている。外装部材５６内には、弾性部材であるコイルバネ６２が挿入され、軸部材５２を収納方向に付勢している。
【００１５】
この実施形態のヘリコプタにより鉄塔解体方法は、鉄塔１０の頂部１０ａ及び鉄塔１０の所定の位置に、位置決め部材２２を固定する。そして、環状部材２０を位置決め部材２２に挿入し、環状部材２０から４本のワイヤ３０を延ばし、吊り上げて搬送する鉄塔構成部材２６の重心の上方に、４本のワイヤ３０の下端部を各々連結する。
【００１６】
そして、４本の主柱材１１の各側面に支持部材３４を取り付け固定し、鉄塔１０の搬送する部分を、ナット部材３７を回して僅かに持ち上げる。そして、主柱材１１について順番に、ボルト４２を総て外して、外した透孔のうち１箇所に、持ち手５８によりコイルバネ６２の付勢力に抗して、連結治具５０の軸部材５２を挿入し、軸部材５２の先端にピン５４を挿入して抜け止めとする。この操作を、４本の主柱材１１について順に行う。
【００１７】
４本の主柱材１１について、ボルト４２の取り外し及び連結治具５０の取り付けが終了すると、ヘリコプタ４０が鉄塔１０の上方に位置し、フック４４に環状部材２０を係合させる。係合が確実に成されたら、ヘリコプタ４０は上昇を始め、ヘリコプタ４０から地上の作業員に連絡する。ピン５４には、除去部材である紐６４が結び付けられ、下方から引くことによりピン５４が軸部材５２から抜け落ちるように形成されている。そして、図２に示すように、ヘリコプタ４０からの連絡を受けて、地上で紐６４を引いて、ピン５４を軸部材５２から引き抜く。すると、コイルバネ６２の付勢力により、軸部材５２が外装部材５６内に退避し、主柱材１１の鉄塔構成部材２６から抜け落ちる。連結治具５０は、紐６６により支持部材３４に繋がっているので、地上へ落下することはない。
【００１８】
この状態で、搬送される側の鉄塔構成部材２６は、その下端面２６ａが支持部材３４の支持部３５に載っているだけとなるが、ヘリコプタ４０により吊り下げられているので、そのままヘリコプタ４０の上昇とともに、空中に吊り上げられる。図３に示すように、吊り上げられた鉄塔構成部材２６は、そのままヘリコプタ４０により所定の場所へ搬送される。
【００１９】
さらに、同様にして図４，図５に示すように、次の搬送部分に取り付けられた位置決め部材２２及び環状部材２０により、ヘリコプタ４０のフック４４を環状部材２０に係合させ、ヘリコプタ４０により吊り下げて搬送する。
【００２０】
この実施形態の鉄塔解体方法によれば、既設の鉄塔１０の周囲に多くの場所を取らなくてもよく、解体コストを大幅に抑えることができる。しかも、環状部材２０、位置決め部材２２、支持部材３４、及び連結治具５０などの解体用治具を用いることにより、安全に効率よく鉄塔１０の解体を行うことができる。
【００２１】
なお、この発明のヘリコプタによる鉄塔解体方法及び作業用治具は、上記実施形態に限定されるものではなく、環状部材や支持部材、連結治具は適宜形状を設定可能なものであり、保持部材もピン以外の部材を用いても良い。
【図面の簡単な説明】
【００２２】
【図１】この発明の一実施形態のヘリコプタによる鉄塔解体方法の一工程を示す概略図である。
【図２】この発明の一実施形態のヘリコプタによる鉄塔解体方法の次の工程を示す概略図である。
【図３】この発明の一実施形態のヘリコプタによる鉄塔解体方法の次の工程を示す概略図である。
【図４】この発明の一実施形態のヘリコプタによる鉄塔解体方法の次の工程を示す概略図である。
【図５】この発明の一実施形態のヘリコプタによる鉄塔解体方法の次の工程を示す概略図である。
【図６】この発明の一実施形態のヘリコプタによる鉄塔解体方法に用いる支持部材を示す正面図である。
【図７】この発明の一実施形態の支持部材の正面図（Ａ）と側面図（Ｂ）である。
【図８】この発明の一実施形態の支持部材と連結治具を主柱材に取り付けた状態の部分正面図である。
【図９】この発明の一実施形態の連結治具の構造を示す概略図（Ａ）〜（Ｄ）である。
【図１０】この発明の一実施形態の連結治具の動作を示す概略図（Ａ）、（Ｂ）である。
【図１１】この発明の一実施形態のヘリコプタによる鉄塔組立工法に用いる位置決め部材の正面図である。
【図１２】この発明の一実施形態の位置決め部材に環状部材を取り付けた状態の正面図である。
【図１３】この発明の一実施形態の環状部材の正面図である。
【符号の説明】
【００２３】
１０  鉄塔
２０  環状部材
２２  位置決め部材
２６  鉄塔構成部材
３０  ワイヤ
３４  支持部材
４０  ヘリコプタ
４４  フック
５０  連結治具
５２  軸部材
５４  ピン
６４  紐
【図１】
0003717911.tif 000002
【図２】
0003717911.tif 000003
【図３】
0003717911.tif 000004
【図４】
0003717911.tif 000005
【図５】
0003717911.tif 000006
【図６】
0003717911.tif 000007
【図７】
0003717911.tif 000008
【図８】
0003717911.tif 000009
【図９】
0003717911.tif 000010
【図１０】
0003717911.tif 000011
【図１１】
0003717911.tif 000012
【図１２】
0003717911.tif 000013
【図１３】
0003717911.tif 000014